(57)【要約】【課題】様々な現場でのレンジフードの設置において、補強工事をしなくても、レンジフードの取付金具を補強部分に取り付けることを可能とするなど、設置の自由度が向上したレンジフードを提供することを目的とする。【解決手段】取付金具４はフードの固定部と壁面の固定部を逆にしても取付け可能なＬ字状の取付金具４であるという構成にしたことにより、Ｌ字状の取付金具４はＬ字の曲げ部から壁面固定の穴とフード固定の穴の距離が等距離であるため、取付金具４の向きを逆にしても、同様に固定するので、レンジフード５０の本体を取付金具４を壁面に固定する時に設置位置に制約を受けて補強工事をする必要がなく、また、取付金具４を決められた方向で取付金具４を固定する必要がないレンジフードを得られる。【選択図】図１
2013113490.tif 000002
【特許請求の範囲】
【請求項１】
加熱調理機器の上部に設置され、調理時に発生する油煙や臭いを屋外へ排気する送風機ユニットと前記送風機ユニットを覆う送風機ボックス部およびフード部とを備え、前記送風機ボックス部およびフード部を壁面に固定するための長短を有するＬ字状の取付金具を有し、前記取付金具はフード固定部と壁面固定部を逆にしても壁面またはレンジフード本体に取付け可能な長短を有するＬ字状の取付金具とすることを特徴とするレンジフード。
【請求項２】
Ｌ字状の取付金具の一方が、他方よりも多数の穴を有していることを特徴とする請求項１に記載のレンジフード。
【請求項３】
Ｌ字状の取付金具に、複数の折り目を設けることを特徴とする請求項１または２に記載のレンジフード。
【発明の詳細な説明】
【技術分野】
【０００１】
本発明は、レンジフードの取り付け方に関するものである。
【背景技術】
【０００２】
従来、この種のレンジフードは、キャビネットの下面などとの位置合わせを行うフード部の設置姿勢の調整機能を持ったものが知られている（例えば、特許文献１参照）。
【０００３】
以下、そのレンジフードについて図５を参照しながら説明する。
【０００４】
図５示すように、壁面１０１にレンジフード１０２を保持させる保持装置１０３であって、保持装置１０３本体は、壁面１０１に取り付けられる壁取付部材１０４と、壁取付部材１０４に一端側が取り付けられ、他端側がレンジフード１０２に取り付けられる連結部材１０５とを備えて構成され、さらに、壁取付部材１０４と連結部材１０５との両部材に、レンジフード１０２の設置姿勢を調整する調整兼連結手段を備え、かつ、壁取付部材１０４には壁面１０１に取り付けられるフード部１０６の一辺縁側を固着保持させる固着辺部１０７を備えている。
【先行技術文献】
【特許文献】
【０００５】
【特許文献１】特開２０１１−１３７６１４号公報
【発明の概要】
【発明が解決しようとする課題】
【０００６】
このような従来のレンジフードにおいて、レンジフードを強固に壁面固定するために、レンジフード本体に取付けた固定金具を壁面の補強桟などの補強部分に固定する方法が一般的であるが、古いレンジフードの取替え時などではその現場により補強部分や梁などの位置が異なるため、取付金具が短すぎて補強部分に届かず追加補強が必要になったり、取付金具が長すぎて梁などに固定金具が干渉してレンジフードを取り付けられないなど、取付時に様々な制約を受けるという課題を有していた。
【０００７】
そこで本発明は、上記のような課題を解決するものであり、様々な現場でのレンジフードの設置において、レンジフード設置の自由度を向上することを目的としている。
【課題を解決するための手段】
【０００８】
そして、本発明は、取付金具はフード固定部と壁面固定部を逆にしても壁面またはレンジフード本体に取付け可能な長短を有するＬ字状の取付金具であることとすることで初期の目的を達成するものである。
【発明の効果】
【０００９】
本発明によれば、レンジフードは送風機ボックス部およびフード部を壁面に固定するための長短を有するＬ字状の取付金具を有し、前記取付金具はフード固定部と壁面固定部を逆にしても壁面に取付け可能な長短を有するＬ字状の取付金具としたことにより、様々な現場でのレンジフードの設置において、レンジフードの取付金具を補強部分に取り付けることを可能とするなど、レンジフード設置の自由度が向上する、という効果を得ることができる。
【図面の簡単な説明】
【００１０】
【図１】本発明の実施の形態１のレンジフードの取り付け状態を示す正面図
【図２】同レンジフードの取り付け状態を示す側面図
【図３】同レンジフードの取付金具を示す斜視図
【図４】同レンジフードの取付金具を示す図（（ａ）正面図、（ｂ）側面図、（ｃ）平面図）
【図５】従来のレンジフードの取り付け状態を示す正面図
【発明を実施するための形態】
【００１１】
本発明の請求項１記載のレンジフードは、加熱調理機器の上部に設置され、調理時に発生する油煙や臭いを屋外へ排気する送風機ユニットと前記送風機ユニットを覆う送風機ボックス部およびフード部とを備え、前記送風機ボックス部およびフード部を壁面に固定するための長短を有するＬ字状の取付金具を有し、前記取付金具はフード固定部と壁面固定部を逆にしても壁面またはレンジフード本体に取付け可能な長短を有するＬ字状の取付金具とし、これにより、天井との距離が近い場合でも、レンジフードの本体を壁面に取り付けることができる、という効果を奏する。
【００１２】
また、Ｌ字状の取付金具の一方が、他方よりも多数の穴を有しているという構成にしてもよい。これにより、取付金具の壁面固定部と固定する壁面の補強部分が一致しないために、補強工事をしなくてはならないという事態が発生することを防止することができる、という効果を奏する。
【００１３】
また、Ｌ字状の取付金具に、複数の折り目を設けるという構成にしてもよい。これにより、取付金具が長すぎて梁などに固定金具が干渉してレンジフードを取り付けられない時など、壁面に固定できない場合などに、Ｌ字状の取付金具の先端部を切断することによって、梁などに固定金具が干渉することを防ぎ、容易にレンジフードの本体を壁面に取り付けることができる、という効果を奏する。
【００１４】
以下、本発明の実施の形態について図面を参照しながら説明する。
【００１５】
（実施の形態１）
図１および図２に示すように、本実施の形態のレンジフード５０は、調理時に発生する油煙や臭いを屋外へ排気するファン８とモーター９とファンケーシング１０とで構成された送風機ユニット１と、送風機ユニット１を覆う送風機ボックス部２およびフード部３を備え、送風機ボックス部２およびフード部３とを壁面１１に固定するためのＬ字状の取付金具４を有している。この取付金具４は、フード固定部と壁面固定部を逆にしても壁面またはレンジフード本体に取付け可能なＬ字状の取付金具である。詳細には、図３および図４に示すように、Ｌ字の曲げ部１２からの送風機ボックス部２およびフード部３とに固定されるフード固定部５すなわち穴との距離ＡとＡ’すなわちＬ字の曲げ部１２から壁面と固定される壁面固定部６との距離およびＢとＢ’との距離をそれぞれ等しくする。なお、１例としてフード固定部５の穴の形状は、必ず１つはだるま状である。
【００１６】
これによって、送風機ボックス部２およびフード部３とのフード固定部５と壁面１１との壁面固定部６を逆にしても取付け可能となる。すなわち、フード固定部５は壁面１１側でも取り付け可能である。
【００１７】
また、Ｌ字状の取付金具４は壁面１１との壁面固定部６の穴を複数有する（一方が他方よりも、多数の固定用の穴を有している）ことによって（１例として３個の場合で説明）、レンジフード５０を壁面１１に設置する際に、梁など十分強度のある位置に取り付けることが容易であり、なおかつ、天井が低く取付金具４と天井が接触してしまう場合には、送風機ボックス部２およびフード部３とのフード固定部５と壁面１１との壁面固定部６を逆にすることで、取付位置に制約を受けるということもなくなる。
【００１８】
ただし、本状態では送風機ボックス部２およびフード部３とのフード固定部５よりも長い壁面固定部６を使用することができなくなるが、複数の折り目７（ここでは１つで説明している）すなわち取付金具４の両端に切り込み入れて切断可能とすることで、取付金具４の様々な設置条件（例えば梁が近くにある場合や天井が近くにある場合等）に対応することができる。
【産業上の利用可能性】
【００１９】
本発明にかかるレンジフードは、壁面に固定する時に設置位置に制約を受けて補強工事をする必要がなく、また、取付金具を決められた方向で取付金具を固定する必要をなくすことで、設置を容易にするものに有用である。
【符号の説明】
【００２０】
１    送風機ユニット
２    送風機ボックス部
３    フード部
４    取付金具
５    フード固定部
６    壁面固定部
７    折り目
８    ファン
９    モーター
１０  ファンケーシング
１１  壁面
１２  曲げ部
５０  レンジフード
【図１】
2013113490.tif 000003
【図２】
2013113490.tif 000004
【図３】
2013113490.tif 000005
【図４】
2013113490.tif 000006
【図５】
2013113490.tif 000007